(57)【要約】【課題】灯具の奥行感に加えて、高低感が得られ、三次元的な立体感のある意匠的効果が得られる灯具を提供する。【解決手段】ランプハウジング内に配設された第１ランプユニット（ＨＬユニット）ＨＬ−Ｕと、第２のランプユニット（ＣＬユニット）ＣＬ−Ｕを備える。第１ランプユニットＨＬ−Ｕはランプハウジング１内の下面部に沿って配設されたエクステンション２２の上側位置に配設される。第２ランプユニットＣＬ−Ｕは、発光面が第１ランプユニットＨＬ−Ｕの側方から後方の領域にわたって立壁状に配設された導光体３と、導光体３に光を入射させる光源６を備える。【選択図】  図４
2018006226.tif 000002
【特許請求の範囲】
【請求項１】
ランプハウジング内に配設された第１と第２のランプユニットを備える灯具であって、前記第１ランプユニットは前記ランプハウジング内の下面部に沿って配設されたエクステンションの上側位置に配設され、前記第２ランプユニットは、発光面が前記第１ランプユニットの側方から後方の領域にわたって立壁状に配設された導光体と、前記導光体に光を入射させる光源を備えることを特徴とする灯具。
【請求項２】
前記ランプハウジング内の下面部に配設された光軸偏向装置を備えており、前記第１ランプユニットは当該光軸偏向装置の上に搭載され、前記エクステンションに開設された開口を通して当該非導光体の上側位置に配置されている請求項１に記載の灯具。
【請求項３】
前記第２ランプユニットは、導光体の灯具後側に向けられた外面に対向配置されたリフレクタを備え、前記導光体は、前記外面と、灯具前側に向けられた内面のそれぞれに、当該導光体の各反対側の面から光を出射させる光反射素子が設けられている請求項１又は２に記載の灯具。
【請求項４】
前記エクステンションは前記リフレクタを構成する部材の一部で構成されている請求項３に記載の灯具。
【請求項５】
前記エクステンションは前記導光体と一体成形されている請求項１ないし３のいずれかに記載の灯具。
【発明の詳細な説明】
【技術分野】
【０００１】
本発明は複数のランプユニットを複合した灯具に関し、特にランプユニットの少なくとも一つが導光体で構成されている灯具における意匠的効果を高めた灯具に関するものである。
【背景技術】
【０００２】
自動車等の車両に装備される灯具として、１つのランプハウジング内に複数のランプユニットを内装した複合型の灯具が提案されている。例えば、特許文献１には、自動車の前方領域を照明する前照灯としての照明灯ユニットと、自車両の存在を示すためのデイタイムランニングランプ（ＤＲＬ）としての標識灯ユニットとを複合したコンビネーションヘッドランプが提案されている。
【０００３】
特許文献１の灯具では、その意匠的効果を高めるため、標識灯ユニットに、照明灯ユニットの外周側に位置された周辺部と、この周辺部に連続されて照明灯ユニットの後側に位置された後方配置部とを設けた構成が採用されている。このようにすることで、特に、後方配置部によって灯具の奥行感が得られ、良好な意匠性を確保することが可能とされている。
【先行技術文献】
【特許文献】
【０００４】
【特許文献１】特開２０１４−７５２２８号公報
【発明の概要】
【発明が解決しようとする課題】
【０００５】
特許文献１の灯具では、奥行感を得るために、標識灯ユニットを屈曲させた板状の導光体で構成し、この導光体の板厚方向の両面が灯具の上下方向に向くように、ほぼ水平方向に延設した構成がとられている。そのため、この導光体によって灯具の内部空間が上下方向、すなわち高さ方向に区画ないしは分断されてしまい、灯具を外部から観察したときに、灯具の高低感が得られ難く、意匠的観点から灯具の立体感を得ることが難しいものとなっている。
【０００６】
本発明の目的は、灯具の奥行感に加えて、高低感が得られ、三次元的な立体感のある意匠的効果が得られる灯具を提供するものである。
【課題を解決するための手段】
【０００７】
本発明は、ランプハウジング内に配設された第１と第２のランプユニットを備える灯具であって、第１ランプユニットはランプハウジング内の下面部に沿って配設されたエクステンションの上側位置に配設され、第２ランプユニットは、発光面が第１ランプユニットの側方から後方の領域にわたって立壁状に配設された導光体と、導光体に光を入射させる光源を備える。
【０００８】
本発明において、ランプハウジング内の下面部に配設された光軸偏向装置を備えており、第１ランプユニットは当該光軸偏向装置の上に搭載され、エクステンションに開設された開口を通してエクステンションの上側位置に配置される。
【０００９】
本発明において、第２ランプユニットは、導光体の灯具後側に向けられた外面に対向配置されたリフレクタを備え、導光体は、外面と、灯具前側に向けられた内面のそれぞれに、当該導光体の各反対側の面から光を出射させる光反射素子が設けられる。
【００１０】
本発明において、エクステンションはリフレクタを構成する部材の一部で構成される。あるいは、エクステンションは導光体と一体成形され。
【発明の効果】
【００１１】
本発明によれば、第２ランプユニットの導光体での発光によりランプハウジングの奥行感が得られる。また、第２ランプユニットの導光体の発光面が立壁状であり、第１ランプユニットはランプハウジングの下面部に沿って配設されたエクステンションの上側に配設されているので、ランプの高低感が得られる。これら奥行感と高低感により、灯具の三次元的な立体感のある意匠的効果が向上される。
【図面の簡単な説明】
【００１２】
【図１】本発明を自動車の左側の複合型ヘッドランプに適用した実施形態の正面図。
【図２】実施形態のヘッドランプの外観斜視図。
【図３】図１のIII-III線断面図。
【図４】図１のIV-IV線断面図。
【図５】ＣＬユニットの概略部分分解図。
【図６】上ライトロッドとレンズロッドを説明する斜視図。
【図７】ＣＬユニットの上ライトロッドから導光体に至る導光状態を説明する拡大図。
【図８】ＣＬユニットの下ライトロッドでの導光状態を説明する拡大図。
【図９】一部の構成を変更した実施形態における図４と同様の断面図。
【発明を実施するための形態】
【００１３】
次に、本発明の実施の形態について図面を参照して説明する。図１は本発明を自動車ＣＡＲの車体の左前部に装備される複合型のヘッドランプ（コンビネーションヘッドランプ）ＣＨＬに適用した実施形態の正面図、図２はその外観斜視図である。このヘッドランプＣＨＬは、ランプボディ１１と、このランプボディ１１の開口部に取着された透光カバー１２とでランプハウジング１が構成されている。このランプハウジング１内には、本発明の第１ランプユニットとして、照明灯を構成するヘッドランプユニット（以下、ＨＬユニット）ＨＬ−Ｕと、本発明の第２ランプユニットとして、標識灯を構成するクリアランスランプユニット（以下、ＣＬユニット）ＣＬ−Ｕが内装されている。
【００１４】
図２において、前記ランプハウジング１は、上面部１ｕと下面部１ｄはそれぞれほぼ平坦面に形成されているが、後面部１ｒから車幅方向内側の内側面部１ｉの領域は灯具方向に突出するように緩やかに連続する曲面に構成されている。これら上面部１ｕ，下面部１ｄ，後面部１ｒ，内側面部１ｉは前記ランプボディ１１により構成されている。また、前方に向けられた前面部１ｆないし車幅方向外側の外側面部１ｏは前記透光カバー１２により構成されている。
【００１５】
図３と図４はそれぞれ図１のIII-III線断面図とIV-IV線断面図であり、図５は前記ＣＬユニットＣＬ−Ｕの概略構成を示す部分分解斜視図である。図３ないし図５において、前記ランプハウジング１の上面部１ｕの前端部、すなわち前記ランプボディ１１の開口部の上縁に沿った部位には、所要長さの樋状をした上フリンジ部４が延設されており、前記ランプボディ１１に取り付けられている。この上フリンジ部４と前記ランプボディ１１の上縁部との間に、前記ランプハウジング１の上端部に沿って上ロッド室４１が構成されている。この上ロッド室４１の下面には、上フリンジ部４の延設方向に沿ってスリット４２が開口されている。
【００１６】
前記ランプハウジング１内の前記外側面部１ｏを除く領域、すなわち後面部１ｒから内側面部１ｉ、さらに下面部１ｄにわたる領域には、下方ないし後方に凸状の曲面に形成されたリフレクタ２が配設され、前記ランプボディ１１の内面に固定されている。このリフレクタ２は不透光性樹脂の成形によって形成されており、その前面にはアルミニウムの蒸着等による鏡面処理が施され、光反射が可能に構成されている。そして、この前面のうち、前記ランプハウジング１の内側面部１ｉと後面部１ｒに沿って延設されている領域は光反射面２１として構成されているが、前記ランプハウジング１の下面部１ｄに沿ってほぼ水平方向に延長されている領域は、実質的には光反射は殆ど行わない疑似光反射面、すなわちエクステンション２２として構成されている。
【００１７】
前記ランプハウジング１内の上面部１ｕと下面部１ｄを除く内側面部１ｉから後面部１ｒないし外側面部１ｏにわたる領域には、ＣＬユニットＣＬ−Ｕの発光面を構成するための導光体３が配設され、前記ランプボディ１１に支持されている。この導光体３は前記リフレクタ２の光反射面２１に沿うように曲設されて上下方向（鉛直方向）に延びる立壁状に形成されており、後面部３ｒと、車幅方向内側の側面部である内側面部３ｉと、車幅方向外側の側面部である外側面部３ｏとにより構成されている。
【００１８】
前記導光体３の前記各面部３ｒ，３ｉ，３ｏは角部が生じないように連続した曲面に形成されている。特に、内側面部３ｉと後面部３ｒと外側面部３ｏは、後述するようにランプハウジング１内のほぼ中央に配設されている前記ＨＬユニットＨＬ−Ｕの両側から後側の領域を囲むような円弧状をしたカーテン状の立壁として形成されている。
【００１９】
前記導光体３の各面部の内面３１は、前記透光カバー１２を透して外部から観察されるようになっている。また、前記ランプハウジング１の外側面部１ｏには前記ランプボディ１１と前記リフレクタ２は存在していないため、前記導光体３の外側面部３ｏはその外面３２も透光カバー１２を透して外部から観察可能とされている。ここで、導光体３の内面３１はランプハウジング１の内側に向けられた面であり、外面３２はランプハウジング１の外側に向けられた面である。
【００２０】
前記導光体３の後面部３ｒ、内側面部３ｉ、および外側面部３ｏには、それぞれの内面３１と外面３２に複数の光反射素子としての線刻３５が形成されている。ここでは、内面３１と外面３２にそれぞれ上下方向に所要の間隔をおいて水平方向に延長された線刻３５が形成されている。また、内面３１と外面３２の各線刻３５は互いに上下方向の位置がずれている。いずれの線刻３５も導光体３の内部を導光される光を反対側の面に向けて反射し、当該反対側の面から出射させる構成であり、ここでは、断面形状が内部に向けてＶ字状に凹設された凹溝からなる線刻３５として構成されている。
【００２１】
前記導光体３の一縁面、すなわち導光体３の内側面部３ｉから後面部３ｒを経て外側面部３ｏにわたって連続形成されている上側の縁面３３（厚み方向の面、以下同じ）は、前記上フリンジ部４に沿って延設されている。この導光体３の一縁面３３は上方に向けられて光入射面として構成されており、前記スリット４２を上方に臨む位置に配設されている。
【００２２】
前記導光体３の内側面部３ｉと外側面部３ｏの各前縁と、前記ランプハウジング１の下面部１ｄの前縁に沿った領域には、後面に凹溝５１を有する帯状の下フリンジ部５が延設されている。この凹溝５１は下ロッド室として構成され、またこの下フリンジ部５の前面はシボ加工により粗面、すなわち光拡散面５２として形成されている。
【００２３】
図６に外観斜視図を示すように、前記上フリンジ部４に構成されている前記上ロッド室４１には、第１光源部６の一部を構成する上ライトロッド６１とレンズロッド６２が内装されている。この上ライトロッド６１は本発明の第１のライトロッドとして構成される。これら上ライトロッド６１とレンズロッド６２は前記スリット４２に臨む位置において、前記上ライトロッド６１が上側に、前記レンズロッド６２がその直下となるように上下に配置されており、いずれも前記導光体３の光入射面３３の長さに対応する長さで、前記上ロッド室４１の長さ方向に延設されている。これら上ライトロッド６１とレンズロッド６２は、透明なアクリル、ポリカーボネート等の樹脂で構成され、所要の断面形状をした中実棒状に形成されたものである。
【００２４】
前記上ロッド室４１の内部には、前記第１光源部６の光源を構成する第１発光素子６０が配設されている。ここでは、前記上ロッド室４１の両端部、すなわち前記上ライトロッド６１の長さ方向両側の端面に対向する位置にそれぞれ対をなして第１ＬＥＤ６０が配設されている。これらの第１ＬＥＤ６０は、詳細な図示は省略するが、ヒートシンクを備える回路基板等に搭載された状態で配設されており、発光されたときに出射される光が前記上ライトロッド６１の各端面に投射され、当該各端面からそれぞれ上ライトロッド６１内に入射されるようになっている。
【００２５】
前記上ライトロッド６１は長さ方向に直交する断面が円形をした透光ロッドで構成されている。あるいは断面が多角形をした透光ロッドで構成されてもよい。この上ライトロッド６１は自身の長さ方向に光を導光する機能を有することからライトロッドと称される。この上ライトロッド６１は長さ方向の複数箇所に一体形成された支持片６３によって前記ランプボディ１１に支持されている。レンズロッド６２も同様であるが、ここでは支持片の構成は図示を省略している。
【００２６】
前記上ライトロッド６１は上側に向けられている上周面に長さ方向にわたって光反射ステップ６１ａが形成されており、上ライトロッド６１の長さ方向の端部から入射された光を長さ方向に導光するとともに、この導光される光の一部を前記光反射ステップ６１ａにおいて反射させ、当該上ライトロッド６１の下側に向けられている下周面から出射させるようになっている。
【００２７】
前記光反射ステップ６１ａは、ここでは上ライトロッド６１の延設方向に沿って微小ないし微細間隔に形成されている。あるいは、連続的に形成されてもよい。この光反射ステップ６１ａで反射されて出射される光は、上ライトロッド６１に沿って長さ方向に連続したライン状とされる。ここで、ライン状とは、光が長さ方向に連続していることはもとより、長さ方向において部分的に不連続な部位が存在しても大略的に見て連続に近い状態をも含んでいる。
【００２８】
前記レンズロッド６２は前記上ライトロッド６１の直下において、当該上ライトロッド６１に沿って延設されている。このレンズロッド６２は、上周面と下周面がそれぞれ所要の曲率半径の円弧面に形成されており、長さ方向に直交する断面形状が凸レンズを構成するように形成されている。前記上周面は前記上ライトロッド６１に向けられ、下面は前記スリット４２に向けられている。したがって、上ライトロッド６１から上周面に入射された光はレンズ作用によって集光されて下周面から下方に向けて出射される。
【００２９】
一方、図３〜図５に示したように、前記下ロッド室５１、すなわち前記下フリンジ部５の凹溝５１内には、第２光源部７の一部として、断面形状が横長楕円形をした透光ロッドからなる下ライトロッド７１が内装されている。この下ライトロッド７１は、前記導光体３の他縁面３４に対向された状態で配置されている。また、この下ライトロッド７１は、前記上ライトロッド６１と同様に透明樹脂により形成されたものであり、前記下フリンジ部５に沿って延設配置され、下フリンジ部５のほぼ全長にわたって配設されている。
【００３０】
前記下ライトロッド７１の車幅方向外側の端部に対向する位置に、前記第２光源部７の光源としての第２発光素子、ここでは第２ＬＥＤ７０が配設されている。この第２ＬＥＤ７０についても詳細な図示は省略するが、回路基板等に搭載された状態で前記ランプボディ１１の一部に配設されており、発光されたときに出射される光が下ライトロッド７１の車幅方向外側の端面に投射され、当該下ライトロッド７１内に入射されるようになっている。この第２ＬＥＤ７０は前記一方の第１ＬＥＤ６０と一体化されたＬＥＤモジュールとして構成されてもよい。
【００３１】
前記ＨＬユニットＨＬ−ＵはＬＥＤを光源とするプロジェクタ型ランプユニットで構成されており、前記ランプハウジング１内のほぼ中央位置に配設されている。このプロジェクタ型ランプは既に知られている構成であるので、ここでは簡略して説明する。このＨＬユニットＨＬ−Ｕは、図３に一部の構成が図示されているように、光源としてのＬＥＤ８０と、リフレクタ８１と、投影レンズ８２と、ヒートシンク８３を備えており、これらはランプケーシング８内に一体的に組み付けられている。発光したＬＥＤ８０から出射された光はリフレクタ８１で反射されて光源像を結像し、この光源像が投影レンズ８２によりヘッドランプＨＬの前方領域に投影され、所要の配光パターンでの光照射が可能とされる。
【００３２】
前記ＨＬユニットＨＬ−Ｕは、図４に示すように光軸偏向装置８４に搭載されている。この光軸偏向装置８４はＨＬユニットＨＬ−Ｕの光出射光軸を上下方向、左右方向に調整するものである。この光軸偏向装置８４は、特許文献１に記載された照射方向変更機構を利用することができる。この特許文献１に記載の照射方向変更機構は、図示は省略するが、ベース部材に水平回動可能に載置された支持ベースと、この支持ベース上において前後方向に移動可能なスライダと、このスライダの前後移動によって前後方向に傾倒される回動ベースが支持されており、スライダをアクチュエータにより前後方向に移動させるようになっている。
【００３３】
前記ＨＬユニットＨＬ−Ｕはこの回動ベース上に搭載されており、アクチュエータ８５によりスライダを前後方向に移動させると、回動ベースは前後方向に傾動され、ＨＬユニットＨＬ−Ｕは光軸が上下に偏向される。また、支持ベースに螺合されているエイミングスクリュ（図示せず）を操作することにより、支持ベースと共にスライダおよび回動ベースは左右方向に回動され、ＨＬユニットＨＬ−Ｕは光軸が左右偏向される。
【００３４】
前記ＨＬユニットＨＬ−Ｕは前記ランプハウジング１の下面部１ｄの略中央に配置されている。前記ＣＬユニットＣＬ−Ｕの前記リフレクタ２の一部で構成されているエクステンション２２に所要寸法の開口２３が設けられており、前記光軸偏向装置８４は、この開口２２内に内装された状態で前記ランプボディ１１に支持されている。これにより、前記ＨＬユニットＨＬ−Ｕはエクステンション２２よりも上側の位置に配設される。一方、前記光軸偏向装置８４はその大部分が前記エクステンション２２によって隠され、透光カバー１２を透して外部に露見されない。
【００３５】
以上の構成のヘッドランプＣＨＬによれば、ＣＬユニットＣＬ−Ｕの点灯時には、対をなす第１ＬＥＤ６０が発光される。各第１ＬＥＤ６０から出射された光は上ライトロッド６１の各端面に入力され、それぞれ反対端に向けて上ライトロッド６１内を導光される。図６及び図７に示すように、導光された光は上周面の光反射ステップ６１ａにおいて反射され、上ライトロッド６１の下周面から下方に向けて出射される。光反射ステップ６１ａは微細ないしは連続的に形成されているので、この出射される光は上ライトロッド６１の延設方向に沿って連続ないしほぼ連続したライン状となる。
【００３６】
上ライトロッド６１から出射された光はレンズロッド６２の上面に入力され、これを透過して下方に向けて出射される。このとき、出射された光はレンズロッド６２の上面と下面において屈折され、そのレンズ作用により集光される。この集光される光は上フリンジ部４のスリット４２を通り、導光体３の入射面３３の直近の上方位置に集光される。この集光された光もレンズロッド６２の延設方向に沿ったライン状となる。また、レンズロッド６２によって集光されることにより、レンズロッド６２と導光体３の光入射面３３との対峙寸法が長い場合でも、レンズロッド６２から出射される光の殆どが導光体３の光入射面３３に入射され、光の入射効率が高められる。
【００３７】
図７に示すように、光入射面３３に入射された光は導光体３の内部を主に下方に向けて導光される。このとき、一部の光は導光体３の内面３１や外面３２から漏光されるため、導光体３は僅かに発光した外観を呈することがある。特に、導光体３の内側面部３ｉ、後面部３ｒ、外側面部３ｏにおいてこのような外観を呈し易い。
【００３８】
導光体３に入射され、かつ導光体３の内部を導光された光は、導光体３の内面３１と外面３２に設けられている各線刻３５においてそれぞれ反対側の面に向けて反射される。内面３１の線刻３５で反射された光は、外面３２に向けて反射されて外面３２から後方に向けて出射される。この出射された光はリフレクタ２において前方に向けて反射される。この反射光は導光体３の外面３２から再度導光体３に入射され、導光体３の内面３１から前方に向けて出射される。一方、導光体３の外面３２の線刻３５で反射された光は、内面３１に向けて反射され、内面３１から前方に向けて反射される。
【００３９】
さらに、第２ＬＥＤ７０を発光させると、図８に示すように、発光された第２ＬＥＤ７０から出射された光は、下ライトロッド７１の一方の端面から下ライトロッド７１内に入射されて長さ方向に導光される。この導光される光は下ライトロッド７１の前面側の周面から洩れ出し下フリンジ部５に入射される。この入射された光は、下フリンジ部５の前面５２から出射される。この前面５２はシボ加工により粗面、すなわち光拡散面として形成されているので、出射光は拡散光として出射される。また、この出射される光は下ライトロッド７１の内部において長さ方向に導光されているため、出射される光は下フリンジ部５の長さ方向に均一化される。
【００４０】
これにより、下フリンジ部５は均一な明るさで発光され、ヘッドランプＣＨＬの下側の縁部の輪郭をより明確なものとし、意匠的効果が高められる。なお、図示は省略するが、下ライトロッド７１の後面側の周面に光反射ステップを設けてもよく、当該後側の周面で反射されて前面側の周面から出射される光の光度を高めるようにしてもよい。
【００４１】
したがって、ＣＬユニットＣＬ−Ｕが点灯したときにヘッドランプＣＨＬを前方から観察すると、導光体３の外面３２の線刻３５で反射された光、及び内面３１の線刻３５で反射され、かつリフレクタ２で反射された光によって明るく発光した状態の複数本の輝線が観察される。これにより、ランプハウジング１の内部は、後面部１ｒと内側面部１ｉと外側面部１ｏに沿った立壁状の面部が導光体３によって低輝度で発光されるとともに、これらの面部が導光体３の線刻３５による多数本の高輝度で発光された輝線が観察される。さらに、ＨＬユニットＨＬ−Ｕは、立壁状をした導光体３において発光された複数本の輝線の前方位置に観察されるので、ＨＬユニットＨＬ−Ｕと導光体３との前後位置関係が顕著になり、へッドランプＣＨＬの外観に奥行き感が得られる。
【００４２】
また、透光カバー１２を透して観察されるランプハウジング１の内部は、導光体３が配設されている内側面部１ｉ、後面部１ｒ、外側面部１ｏにおいて、線刻３５により複数ないし多数の横方向に延びる高輝度の輝線が観察される外観となる。これと同時にランプハウジング１の下縁ないし左右の側縁に沿った下フリンジ部５が曲線状に発光する外観となる。この曲線状の発光は下フリンジ部５の高さ寸法に相当する線幅であるので、線幅の太い線状に発光する外観となる。これらの細い複数本の輝線がランプハウジング１内の奥位置に観察され、下縁に沿った太い発光線がランプハウジング１の前側位置に観察されることでランプハウジング１の外観のさらなる奥行感が得られる。
【００４３】
一方、ＨＬユニットＨＬ−Ｕの下側には平坦なエクステンション２２が存在しており、ＨＬユニットＨＬ−Ｕはこのエクステンション２２に設けられた開口２３を通して下側から上側に向けて突き出た状態に配設されているので、ＨＬユニットＨＬ−Ｕはエクステンション２２上に浮かび上がった状態に観察される。このとき、図１に示すように、光軸偏向装置８４の上部をエクステンション２２の上面よりも幾分突出させることにより、この浮かび上がって見える効果を高めることができる。
【００４４】
その上で、導光体３の前縁部から一部の光が洩光したときには、この光がエクステンション２２に投射され、エクステンション２２が照明される。この照明による輝度は導光体３での発光による輝度よりも低輝度であるので、エクステンション２２は相対的に低輝度に観察される。このエクステンション２２が相対的に暗く観察されることにより、ランプハウジング１内の外観における高低感がさらに高められる。これら奥行感と高低感とにより、三次元的な立体感のある意匠的効果が高められる。
【００４５】
ここで、導光体３の光入射面３３に入射される光は、上ライトロッド６１およびレンズロッド６２によってライン状に連続した状態で、しかも光入射面３３に対して集光した状態で入射される。これにより、導光体３の全領域において均一な光量で、しかも光入射面３３における入射効率を高めることができ、導光体３の広い領域を高い輝度で発光させることが可能になる。
【００４６】
なお、ヘッドランプＣＨＬを観察する際の視線を車幅方向外側ないし斜め側方に移動すると、ランプハウジング１の外側面部１ｏ、すなわちランプボディ１１が存在せず透光カバー１２のみが存在する面部では、導光体３の外側面部３ｏの外面３２が直接的に観察される。この外側面部３ｏでは、内面３１と外面３２の各線刻３５で発光された輝線が観察される。また、導光体３は透光性であるので、この輝線は後面部３ｒで発光された輝線と重なった状態で観察されることになり、これら輝線の重畳によって奥行感がさらに高められる。
【００４７】
上ライトロッド６１とレンズロッド６２は上フリンジ部４によって隠蔽されるので、これらが露見されることによる外観上の見栄えが低下されることはない。下ライトロッド７１は下フリンジ部５により覆われており、下フリンジ部５は光拡散処理されているので下ライトロッド７１が直接露見されることなく隠蔽されることになり、この面からも外観上の見栄えが低下されることはない。
【００４８】
ＣＬユニットＣＬ−Ｕの点灯に加えてＨＬユニットＨＬ−Ｕを点灯すると、ＨＬユニットＨＬ−Ｕから照明光が出射される。この場合にはＨＬユニットＨＬ−Ｕの投影レンズ８２が明るく発光するが、この発光したＨＬユニットＨＬ−Ｕの光の一部、すなわち配光には直接寄与しない光がＨＬユニットＨＬ−Ｕの下側領域に存在しているエクステンション２２を照明する。照明されたエクステンション２２の輝度は幾分高くなるが、それでもＨＬユニットＨＬ−Ｕに比較すれば極めて低輝度であるので、ＨＬユニットＨＬ−Ｕがランプハウジング１内において上方に浮かび上がって見える高低感は得られるので、この高低感によるヘッドランプの三次元的な立体感のある意匠的効果が高められる。
【００４９】
本発明の異なる実施形態として、図９に示すように、リフレクタ２は導光体３の内側面部３ｉと後面部３ｒに対応する領域にのみ配設されてもよく、エクステンション２２はリフレクタ２と一体には構成されない。この場合には、ランプハウジング１の下面部１ｄに沿った領域には平板状の不透光部材、例えば不透光樹脂９が配設され、この不透光樹脂９によりエクステンション９１が構成される。この不透光樹脂９は例えば二色成形法によって導光体３と一体に形成されている。また、エクステンション９１は不透光樹脂９の表面にアルミニウム蒸着等による鏡面処理を施すことにより形成される。前記不透光樹脂９の一部に開口９２を開設し、この開口９２を通してＨＬユニットＨＬ−Ｕを配設することにより、当該ＨＬユニットＨＬ−Ｕはエクステンション９１の上方に配置される。
【００５０】
この構成によれば、不透光樹脂９により形成されたエクステンション９１によってランプハウジング１の下面部１ｄに対応する領域の存在によりＨＬユニットＨＬ−Ｕが浮かび上ったように観察され、高低感が得られる。また、この構成においても、ＨＬユニットＨＬ−Ｕの後面ないし側面の領域に立壁状に存在する導光体３での発光によってＨＬユニットＨＬ−Ｕの奥行感が得られる。これにより、ヘッドランプＣＨＬの奥行感と高低感が得られ、三次元的な立体感のある意匠的効果が高められる。
【００５１】
この実施形態では、リフレクタ２を小型に構成できる。一方、エクステンション９２を構成する不透光部材９を導光体３と一体に形成できるので、部品点数を増大することなく、しかも製造工程が簡略化できる。
【００５２】
以上説明した実施形態では、ランプハウジング１の下面部１ｄに沿って設けられるエクステンション２２，９１を鏡面処理したエクステンションとして構成しているが、シボ加工等の光を拡散反射する光拡散面として構成してもよく、あるいは光反射率の低い低光反射面として構成してもよい。場合によっては、光を反射しない表面として形成してもよい。
【００５３】
以上説明した実施形態では、上ライトロッド６１と導光体３の光入射面３３との間にレンズロッド６２を配設していたが、上ライトロッド６１と光入射面３３との距離が短く設計できる場合には、レンズロッド６２を省略しても、上ライトロッド６１から出射した光を導光体に入射させる際の入射効率を高めることができ、導光体３での発光、特に線刻の発光の輝度の均一化を図ることができる。
【００５４】
導光体３での発光は、導光体３の内面３１や外面３２に設けた凹溝等の光反射素子によるものであればよいので、この光反射素子としては、実施形態のような線刻に限られるものではなく、点状に凹部を設けた点刻であってもよく、あるいは任意のパターン形状をした光反射素子として形成してもよい。
【００５５】
本発明は第１ランプユニットとしての照明灯ユニットをＨＬユニットで構成し、第２ランプユニットとしての標識灯ユニットをＣＬユニットで構成した複合型のヘッドランプの例を示したが、照明灯ユニットと標識灯ユニットはこれら実施形態のユニットに限定されるものではない。標識灯ユニットを導光体で構成するヘッドランプであれば本発明を適用することは可能である。また、照明灯ユニットと標識灯ユニットの複合に限られるものではなく、２つ以上のランプユニットで構成され、そのうち少なくとも１つのランプユニットを導光体で構成するランプであれば本発明を適用することができる。
【符号の説明】
【００５６】
ＣＨＬ  複合型ヘッドランプ
ＨＬ−Ｕ  ＨＬユニット（ヘッドランプ：第１ランプユニット）
ＣＬ−Ｕ  ＣＬユニット（クリアランスランプ：第２ランプユニット）
１  ランプハウジング
２  リフレクタ
３  導光体
４  上フリンジ部（第１フリンジ部）
５  下フリンジ部（第２フリンジ部）
６  第１光源部
７  第２光源部
８  ランプケーシング
９  不透光部材
２１  光反射面
２２  エクステンション
３３  光入射面
３５  線刻（光反射素子）
４１  上ロッド室
４２  スリット
５１  下ロッド室（凹溝）
５２  前面（拡散面）
６０  第１発光素子（第１ＬＥＤ）
６１  上ライトロッド
６２  レンズロッド
７０  第２発光素子（第２ＬＥＤ）
７１  下ライトロッド
８４  光軸偏向装置
９１  エクステンション
【図１】
2018006226.tif 000003
【図２】
2018006226.tif 000004
【図３】
2018006226.tif 000005
【図４】
2018006226.tif 000006
【図５】
2018006226.tif 000007
【図６】
2018006226.tif 000008
【図７】
2018006226.tif 000009
【図８】
2018006226.tif 000010
【図９】
2018006226.tif 000011